(57)【要約】【課題】欠点を有するガラス基板を用いた場合であっても、高い意匠性を確保し、かつ欠点を隠蔽できる隠蔽効果を有する調理器用トッププレートを提供すること。【解決手段】調理器の上部に配置するための調理器用トッププレートである。結晶化ガラスよりなるガラス基板と、ガラス基板における被加熱物を設置する調理面上に配設した多数の点状装飾層３とを有してなる。点状装飾層３は、平行な等間隔の複数の直線群を直交させて構成した仮想の基本格子４の格子点４０１に対応してそれぞれ１個ずつ存在する。点状装飾層３の重心点３０１が、対応する格子点４０１からの距離が格子点間距離の１／２以内の範囲内に存在すると共に、重心点３０１と格子点４０１との配置関係が隣り合うもの同士で異なっており、かつ、点状装飾層３同士が重なり合わないように配列されている。【選択図】図２
2010071515.tif 000002
【特許請求の範囲】
【請求項１】
調理器の上部に配置するための調理器用トッププレートであって、
結晶化ガラスよりなるガラス基板と、
該ガラス基板における被加熱物を設置する調理面上に配設した多数の点状装飾層とを有してなり、
該点状装飾層は、平行な等間隔の複数の直線群を直交させて構成した仮想の基本格子の格子点に対応してそれぞれ１個ずつ存在し、
上記点状装飾層の重心点が、対応する格子点からの距離が格子点間距離の１／２以内の範囲内に存在すると共に、上記重心点と格子点との配置関係が隣り合うもの同士で異なっており、
かつ、上記点状装飾層同士が重なり合わないように配列されていることを特徴とする調理器用トッププレート。
【請求項２】
調理器の上部に配置するための調理器用トッププレートであって、
結晶化ガラスよりなるガラス基板と、
該ガラス基板における被加熱物を設置する調理面上に配設した多数の点状装飾層とを有してなり、
該点状装飾層は、平行な等間隔の複数の直線群を直交させて構成した仮想の基本格子の格子点に対応してそれぞれ１個ずつ存在し、
上記点状装飾層の重心点が、対応する格子点をほぼ一致する位置に存在し、
上記点状装飾層の輪郭形状は重心からの距離が他の部位よりも大きい大径部を有する非円形状を呈しており、
上記格子点に対する上記大径部の配置関係が隣り合うもの同士で異なっており、
かつ、上記点状装飾層同士が重なり合わないように配列されていることを特徴とする調理器用トッププレート。
【請求項３】
調理器の上部に配置するための調理器用トッププレートであって、
結晶化ガラスよりなるガラス基板と、
該ガラス基板における被加熱物を設置する調理面上に配設した多数の点状装飾層とを有してなり、
該点状装飾層は、平行な等間隔の複数の直線群を直交させて構成した仮想の基本格子の格子点に対応してそれぞれ１個ずつ存在し、
上記点状装飾層の重心点が、対応する格子点からの距離が格子点間距離の１／２以内の範囲内に存在すると共に、上記重心点と格子点との配置関係が隣り合うもの同士で異なっており、
上記点状装飾層の輪郭形状は重心からの距離が他の部位よりも大きい大径部を有する非円形状を呈しており、
上記格子点に対する上記大径部の配置関係が隣り合うもの同士で異なっており、
かつ、上記点状装飾層同士が重なり合わないように配列されていることを特徴とする調理器用トッププレート。
【請求項４】
請求項１〜３のいずれか１項において、上記基本格子の格子点間距離は、１〜４ｍｍであることを特徴とする調理器用トッププレート。
【請求項５】
請求項１〜４のいずれか１項において、上記点状装飾層の面積は、一点当たり０．１〜
１．８ｍｍ2であることを特徴とする調理器用トッププレート。
【請求項６】
請求項１〜５のいずれか１項において、上記点状装飾層の合計面積が、調理器用トッププレート全体の面積に対して５〜２０％であることを特徴とする調理器用トッププレート。
【発明の詳細な説明】
【技術分野】
【０００１】
本発明は、調理器の上部に配置する調理器用トッププレートに関する。
【背景技術】
【０００２】
従来より、電磁調理器やガス調理器などの調理器の上部には、ガラス板よりなる調理器用トッププレートが設置されている。この調理器用トッププレートには、鍋などの被加熱物が載置され、該被加熱物は調理器内部の加熱装置により加熱調理できる。特に、電磁調理器は、安全性が高いため、近年ますますその需要が増加する傾向にあり、それに伴い調理器用トッププレートの需要も増大している。
【０００３】
このような調理器用トッププレートのガラス基板としては、ネオセラム（日本電気硝子株式会社製）等の結晶化ガラスが用いられている（特許文献１）。
結晶化ガラスは、流動性が低い、融点が高い等の特性を有しており、その特性ゆえに、高温で成形する必要がある。そのため、一般的なガラスに比べ成形時に気泡、異物等が混入しやすく、欠点のあるガラスができ易い。そして、成形時の泡、異物の完全な除去は、技術的に解決し難いのが現状である。
【０００４】
結晶化ガラスは、その中におよそ１〜３ｍｍ程度の気泡が少量混入している場合であっても、調理器用トッププレートの基板ガラスに求められる耐熱性や強度等を有することが通常である。
しかしながら、気泡、異物等の欠点を有する結晶化ガラスは、見栄えが悪く、使用されない。実用上問題のないレベルの欠点のある結晶化ガラスを使用しないことは、コスト・環境負荷の観点から好ましくない。
【０００５】
そこで、上記の欠点があるガラスを有効に利用するために、ガラス表面に表絵を印刷する技法で、視覚的に泡、異物の欠点を感知し難くする手段がある。
上記印刷技法の一つに、図８に示すようなランダムドット柄がある。このランダムドット柄は、泡、異物等の欠点を隠蔽ことができ、欠点のあるガラスを有効に利用することができる。
【０００６】
【特許文献１】特開２００７−１６５３３２号公報
【発明の開示】
【発明が解決しようとする課題】
【０００７】
しかしながら、上記ランダムドット柄は、比較的広範囲に印刷するものであり、ガラスの質感を低下させるという問題がある。また、昨今では、小さい塗装面積で、かつ規則性のある柄（例えば、等間隔で真円が整列した整列ドット柄等）がデザイン的に好まれているため、その対極にあるランダムドットは好まれない。ただし、上記整列ドットは泡、異物等の欠点が目立ってしまう。
【０００８】
本発明は、かかる従来の問題点に鑑みてなされたものであって、泡等の欠点を有するガラス基板を用いた場合であっても、高い意匠性を確保し、かつ欠点を隠蔽できる隠蔽効果を有する調理器用トッププレートを提供しようとするものである。
【課題を解決するための手段】
【０００９】
第１の発明は、調理器の上部に配置するための調理器用トッププレートであって、
結晶化ガラスよりなるガラス基板と、
該ガラス基板における被加熱物を設置する調理面上に配設した多数の点状装飾層とを有してなり、
該点状装飾層は、平行な等間隔の複数の直線群を直交させて構成した仮想の基本格子の格子点に対応してそれぞれ１個ずつ存在し、
上記点状装飾層の重心点が、対応する格子点からの距離が格子点間距離の１／２以内の範囲内に存在すると共に、上記重心点と格子点との配置関係が隣り合うもの同士で異なっており、
かつ、上記点状装飾層同士が重なり合わないように配列されていることを特徴とする調理器用トッププレートにある（請求項１）。
【００１０】
第１の発明の調理器用トッププレートの注目すべき点は、点状装飾層を、一定の範囲内で、不規則に配列をさせることにある。これにより、部分的には不規則な配置であるが、全体としては規則的な印象を与える効果を有する装飾とすることができる。
【００１１】
そして、上記の装飾により、広範囲にわたって装飾層を設けることなく、ガラス基板中の欠点を隠す効果やごまかす効果が発現し、隠蔽効果を有することができる。
また、点状装飾層の装飾面積を小さくすることにより、点状装飾層が設けられていない部分を多く確保することができるため、ガラス基板の質感を生かすことができ、かつ、上記点状装飾層がある程度の規則性を維持して配置されることによるデザイン性を得ることができ、高い意匠性を有することができる。
このようにして、高い意匠性及び隠蔽効果を両立させることができる。
【００１２】
このように、本発明によれば、泡等の欠点を有するガラス基板を用いた場合であっても、高い意匠性を確保し、かつ欠点を隠蔽できる隠蔽効果を有する調理器用トッププレートを提供することができる。
【００１３】
第２の発明は、調理器の上部に配置するための調理器用トッププレートであって、
結晶化ガラスよりなるガラス基板と、
該ガラス基板における被加熱物を設置する調理面上に配設した多数の点状装飾層とを有してなり、
該点状装飾層は、平行な等間隔の複数の直線群を直交させて構成した仮想の基本格子の格子点に対応してそれぞれ１個ずつ存在し、
上記点状装飾層の重心点が、対応する格子点をほぼ一致する位置に存在し、
上記点状装飾層の輪郭形状は重心からの距離が他の部位よりも大きい大径部を有する非円形状を呈しており、
上記格子点に対する上記大径部の配置関係が隣り合うもの同士で異なっており、
かつ、上記点状装飾層同士が重なり合わないように配列されていることを特徴とする調理器用トッププレートにある（請求項２）。
【００１４】
第２の発明の調理器用トッププレートの注目すべき点は、上記点状装飾層の輪郭形状を上記のように非円形状とし、その重心点は上記格子点上に一致させるように配置するが、その大径部の格子点に対する配置関係を不規則にすることある。これにより、部分的には不規則な配置であるが、全体としては規則的な印象を与える効果を有する装飾とすることができる。
【００１５】
そして、上記の装飾により、広範囲にわたって装飾層を設けることなく、ガラス基板中の欠点を隠す効果やごまかす効果が発現し、隠蔽効果を有することができる。そして、点状装飾層の装飾面積を小さくすることにより、点状装飾層が設けられていない部分を多く確保することができるため、ガラス基板の質感を生かすことができ、かつ、上記点状装飾層がある程度の規則性を維持して配置されることによるデザイン性を得ることができ、高い意匠性を有することができる。
このようにして、高い意匠性及び隠蔽効果を両立させることができる。
【００１６】
このように、本発明によれば、泡等の欠点を有するガラス基板を用いた場合であっても、高い意匠性を確保し、かつ欠点を隠蔽できる隠蔽効果を有する調理器用トッププレートを提供することができる。
【００１７】
第３の発明は、調理器の上部に配置するための調理器用トッププレートであって、
結晶化ガラスよりなるガラス基板と、
該ガラス基板における被加熱物を設置する調理面上に配設した多数の点状装飾層とを有してなり、
該点状装飾層は、平行な等間隔の複数の直線群を直交させて構成した仮想の基本格子の格子点に対応してそれぞれ１個ずつ存在し、
上記点状装飾層の重心点が、対応する格子点からの距離が格子点間距離の１／２以内の範囲内に存在すると共に、上記重心点と格子点との配置関係が隣り合うもの同士で異なっており、
上記点状装飾層の輪郭形状は重心からの距離が他の部位よりも大きい大径部を有する非円形状を呈しており、
上記格子点に対する上記大径部の配置関係が隣り合うもの同士で異なっており、
かつ、上記点状装飾層同士が重なり合わないように配列されていることを特徴とする調理器用トッププレートにある（請求項３）。
【００１８】
第３の発明の調理器用トッププレートは、上記第１の発明における点状装飾層の配置パターンと、上記第２の発明における点状装飾層の配置パターンを組み合わせた配置パターンを有する点状装飾層を有するものである。つまり、点状装飾層の輪郭形状を上記のように非円形状とし、一定の範囲内で不規則に配列させ、さらに、その大径部の格子点に対する配置関係を不規則としている。
そのため、上述した第１の発明及び第２の発明において記載した効果と同様の効果を得ることができる。
【００１９】
このように、本発明によれば、泡等の欠点を有するガラス基板を用いた場合であっても、高い意匠性を確保し、かつ欠点を隠蔽できる隠蔽効果を有する調理器用トッププレートを提供することができる。
【発明を実施するための最良の形態】
【００２０】
第１〜第３の発明の調理器用トッププレートは、上述したように、結晶化ガラスよりなるガラス基板と、該ガラス基板における被加熱物を設置する調理面上に配設した多数の点状装飾層とを有してなる。
上記結晶化ガラスとしては、ネオセラム（日本電気硝子株式会社製）を用いることが好ましい。
【００２１】
また、上記点状装飾層は、例えば、ガラスフラックスを７３〜９９重量部、着色顔料を０〜２０重量部、及び有機バインダーを外掛けで７０〜１５０重量部混合してなるペースト材料を上記ガラス基板に塗布し焼成することにより構成されていることが好ましい。
【００２２】
上記ペースト材料に用いられるガラスフラックスは、平均粒径が５μｍ以下であることが好ましい。また、上記ガラスフラックスは、無鉛のものであることが好ましい。
そして、上記ガラスフラックスは、ＳｉＯ2を５６〜６９重量％、Ａｌ2Ｏ3を０．１〜７重量％、Ｂ2Ｏ3を２３〜０重量％、Ｌｉ2Ｏを０．１〜３重量％、及びＮａＯを１〜５重量％含有してなることが好ましい。
【００２３】
上記ペースト材料に用いられる有機バインダーとしては、例えばアクリル系樹脂、アルキッド系樹脂、ブチル樹脂、エチルセルロース系樹脂、ニトロセルロース系樹脂、メチルセルロース系樹脂等がある。
【００２４】
また、上記ペースト材料に用いられる着色顔料は、平均粒径が２μｍ以下であることが好ましい。
上記着色顔料としては、色の種類によって例えば下記のような材料を用いることができる。
黒色用としてはＣｒ−Ｆｅ、Ｃｏ−Ｍｎ−Ｃｒ−Ｆｅ、Ｃｏ−Ｎｉ−Ｃｒ−Ｆｅ、及びＣｏ−Ｎｉ−Ｃｒ−Ｆｅ−Ｍｎ等、グレー用としてはＳｎ−Ｓｂ、Ｓｎ−Ｓｂ−Ｖ等、黄色用としてはＳｎ−Ｖ、Ｚｒ−Ｖ、Ｚｒ−Ｓｉ−Ｐｒ、Ｔｉ−Ｃｒ−Ｓｂ、Ｚｒ−Ｓｉ−Ｃｄ−Ｓ、ＣｄＳ等、茶色用としてはＺｎ−Ａｌ−Ｃｒ−Ｆｅ、Ｚｎ−Ｍｎ−Ａｌ−Ｃｒ−Ｆｅ等、緑色用としてはＣａ−Ｃｒ−Ｓｉ、Ｃｒ−Ａｌ、Ｃｏ−Ｚｎ−Ａｌ−Ｃｒ、Ｚｒ−Ｓｉ−Ｐｒ−Ｖ等、青色用としてはＣｏ−Ａｌ−Ｚｎ、Ｃｏ−Ａｌ、Ｃｏ−Ｓｉ、Ｚｒ−Ｓｉ−Ｖ等、ピンク色用としてはＭｎ−Ａｌ、Ｃａ−Ｓｎ−Ｓｉ−Ｃｒ、Ｓｎ−Ｃｒ、Ｚｒ−Ｓｉ−Ｆｅ等、赤色用としてはＺｒ−Ｓｉ−Ｃｄ−Ｓｅ−Ｓ、Ｃｄ−Ｓｅ−Ｓ等を用いることができる。これらは所望の色を得るように任意の割合で混合して用いることもできる。
【００２５】
また、上記点状装飾層用のペースト材料を塗布する際は、例えば、スクリーン印刷法、ロールコート印刷法、スプレー法等により行うことが好ましい。
また、上記焼成の焼成温度は、７６０℃〜９００℃であることが好ましい。
【００２６】
また、上記点状装飾層は、平行な等間隔の複数の直線群を直交させて構成した仮想の基本格子の格子点に対応してそれぞれ１個ずつ存在する。
上記格子点に対応する点状装飾層がない場合、また、上記点状装飾層が上記格子点に対して２個以上存在する場合には、点状装飾層の規則性を維持することができず、デザイン性を得ることができない。
また、上記点状装飾層同士は重なり合わないように配列されている。
点状装飾層同士が重なり合って配列される場合には、規則性を維持し難くなり、デザイン性を得ることができない。
【００２７】
第１の発明の調理器用トッププレートにおいて、上記点状装飾層の重心点は、対応する格子点からの距離が格子点間距離の１／２以内の範囲内に存在する。
上記点状装飾層の重心点が、対応する格子点からの距離が格子点間距離の１／２よりも外側に存在させる場合には、上記点状装飾層の規則性を維持することが困難になり、デザイン性を得難くなる。
【００２８】
また、上記重心点と格子点との配置関係が隣り合うもの同士で異なっている。
上記重心点と格子点との配置関係が隣り合うもの同士で同一の部分が存在すると、ガラス基板中の欠点を隠蔽又はごまかす隠蔽効果を得難くなる。
また、上記点状装飾層の輪郭形状は、それぞれが同一形状であることが好ましく、真円であることが好ましい。
【００２９】
また、第２の発明の調理器用トッププレートにおいては、上記点状装飾層の輪郭形状は重心からの距離が他の部位よりも大きい大径部を有する非円形状を呈している。
上記点状装飾層の輪郭形状は、重心からの距離が他の部位よりも大きい大径部を有すればよく、楕円、三角形、四角形等の形状とすることができる。また、上記点状装飾層は、上記大径部を中心として線対称の形状であることが好ましい。
【００３０】
また、上記格子点に対する上記大径部の配置関係が隣り合うもの同士で異なっている。
上記格子点に対する上記大径部の配置関係が隣り合うもの同士で同一の部分が存在すると、ガラス基板中の欠点を隠蔽する隠蔽効果を得難くなる。
【００３１】
上記第１〜第３の発明において、上記基本格子の格子点間距離は、１〜４ｍｍであることが好ましい（請求項４）。
上記格子点間距離を上記範囲内とする場合には、１〜３ｍｍ程度の気泡の隠蔽を特に良好に行うことができる。
【００３２】
基本格子の格子点間距離が１ｍｍ未満の場合には、点状装飾層の密度が高くなり、ガラスの質感を低下させるおそれがある。一方、上記格子点間距離が４ｍｍを超える場合には、点状装飾層の密度が低くなり、ガラス基板中の欠点の隠蔽効果が低下するおそれがある。
【００３３】
また、上記点状装飾層の面積は、一点当たり０．１〜１．８ｍｍ2であることが好ましい（請求項５）。
この場合には、上記点状装飾層の一点当たりの面積を上記範囲内とする場合には、１〜３ｍｍ程度の気泡の隠蔽を特に良好に行うことができる。
【００３４】
点状装飾層の１点当たりの面積が０．１ｍｍ2未満である場合には、ガラス基板中の欠点を隠蔽する隠蔽効果が十分に得られないおそれがある。一方、点状装飾層の１点当たりの面積が１．８ｍｍ2を超える場合には、装飾面積が大きくなるため、ガラスの質感を低下させるおそれがある。
【００３５】
また、上記点状装飾層の合計面積が、調理器用トッププレート全体の面積に対して５〜２０％であることが好ましい（請求項６）。
上記第１〜第３の発明における点状装飾層の配置パターンを採用すれば、上記点状装飾層の合計面積を上記範囲とし、広範囲に点状装飾層を設けなくても、隠蔽効果を得ることができる。
【００３６】
点状装飾層の合計面積が、調理器用トッププレート全体の面積に対して５％未満である場合には、十分な隠蔽効果を得ることができないおそれがある。一方、上記合計面積が調理器用トッププレート全体の面積に対して２０％を超える場合には、装飾面積が大きくなるため、ガラスの質感を低下させるおそれがある。
【００３７】
上記点状装飾層は、上記基本格子の格子点間距離を、１〜４ｍｍとし、上記点状装飾層の面積は、一点当たり０．１〜１．８ｍｍ2とし、かつ、合計面積が調理器用トッププレート全体の面積に対して５〜２０％となるように設けることがより好ましい。
【００３８】
また、上記調理器用トッププレートは、上記ガラス基板の調理面とは反対側の面である裏側面に、パール調の色調を有する層や、ラスター彩からなる層等を積層させてもよい。この場合には、点状装飾層が設けられておらずガラスの質感が表れる部分に更に色彩を加味し、意匠性を高めることができる。
【実施例】
【００３９】
（実施例１）
本例は、本発明の実施例にかかる調理器用トッププレートについて、図１〜図３を用いて説明する。
図１に示すように、本例の調理器用トッププレート１は、調理器の上部に配置するための調理器用トッププレート１であって、結晶化ガラスよりなるガラス基板２と、該ガラス基板２における被加熱物を設置する調理面２１上に配設した多数の点状装飾層３とを有してなる。
【００４０】
上記点状装飾層３は、図２及び図３に示すように、平行な等間隔の複数の直線群を直交させて構成した仮想の基本格子４の格子点４０１に対応してそれぞれ１個ずつ存在し、上記点状装飾層３の重心点３０１が、対応する格子点４０１からの距離が格子点間距離Ｌ１の１／２以内の範囲内に存在すると共に、上記重心点３０１と格子点４０１との配置関係が隣り合うもの同士で異なっており、かつ、上記点状装飾層３同士が重なり合わないように配列されている。
【００４１】
上記調理器用トッププレート１を作製するに当たっては、まず、上記ガラス基板２として、厚み４ｍｍ、幅６００ｍｍ、長さ４００ｍｍである結晶化ガラスよりなるガラス基板を用意した。
また、点状装飾層３用のペースト材料として、ガラスフラックス８０重量部と、有機バインダー１００重量部と、着色顔料１７重量部とを混合し、ペースト材料を作製した。
ここで、上記ガラスフラックスとしては、ＳｉＯ2を６５重量部、Ａｌ2Ｏ3を５重量部、Ｂ2Ｏ3を２３重量部、Ｌｉ2Ｏを１重量部、及びＮａ2Ｏを２重量部、Ｋ2Ｏを２重量部、ＴｉＯ2を１重量部、ＺｒＯ2を１重量部含有するものを用いた。また、有機バインダーとしてはアクリル樹脂、着色顔料としては黒顔料をそれぞれ用いた。
【００４２】
そして、上記ガラス基板２の表面２１に対して、上記ペースト材料を３５０メッシュのスクリーンを用いてスクリーン印刷し、乾燥させ、温度８００℃にて焼成することにより、輪郭形状が真円形状である多数の点状装飾層３を形成した。
【００４３】
本例においては、上記基本格子４の格子点間距離Ｌ１は、２．５ｍｍとした。
また、上記点状装飾層３の面積は、一点当たり０．７〜０．８ｍｍ2とした。
また、上記点状装飾層３の合計面積は、調理器用トッププレート１全体の面積に対して１２％とした。
【００４４】
本例の調理器用トッププレート１は、点状装飾層３を、一定の範囲内で、不規則に配列させている。これにより、部分的には不規則な配置であるが、全体としては規則的な印象を与える効果を有する装飾とすることができる。そして、広範囲にわたって装飾層３を設けることなく、ガラス基板２中の欠点を隠す効果やごまかす効果を得ることができ、隠蔽効果を有することができる。また、点状装飾層３の装飾面積を小さくすることにより、点状装飾層３が設けられていない部分を多く確保することができるため、ガラス基板２の質感を生かすことができ、かつ、上記点状装飾層３がある程度の規則性を維持することによりデザイン性を得ることができ、高い意匠性を有することができる。このように、高い意匠性及び隠蔽効果を両立させることができる。
【００４５】
このように、本例によれば、欠点を有するガラス基板を用いた場合であっても、高い意匠性を確保し、かつ欠点を隠蔽できる隠蔽効果を有する調理器用トッププレートを提供できることが分かる。
【００４６】
（実施例２）
本例は、本発明の実施例にかかる調理器用トッププレートについて、図４、及び図５を用いて説明する。
本例の調理器用トッププレートは、調理器の上部に配置するための調理器用トッププレートであって、結晶化ガラスよりなるガラス基板と、該ガラス基板における被加熱物を設置する調理面上に配設した多数の点状装飾層とを有してなる。
【００４７】
そして、図４及び図５に示すように、上記点状装飾層３２は、平行な等間隔の複数の直線群を直交させて構成した仮想の基本格子４２の格子点に対応してそれぞれ１個ずつ存在し、上記点状装飾層３２の重心点３２１が、対応する格子点をほぼ一致する位置に存在する。
上記点状装飾層３２の輪郭形状は重心３２１からの距離が他の部位よりも大きい大径部３２２を有する非円形状を呈しており、上記格子点に対する上記大径部３２２の配置関係が隣り合うもの同士で異なっており、かつ、上記点状装飾層３２同士が重なり合わないように配列されている。
【００４８】
上記調理器用トッププレートを作製するに当たっては、まず、上記ガラス基板として、厚み４ｍｍ、幅６００ｍｍ、長さ４００ｍｍである結晶化ガラスよりなるガラス基板を用意した。
また、点状装飾層用のペースト材料として、ガラスフラックス８０重量部と、有機バインダー１００重量部と、着色顔料１７重量部とを混合し、ペースト材料を作製した。
ここで、上記ガラスフラックスとしては、ＳｉＯ2を６５重量部、Ａｌ2Ｏ3を５重量部、Ｂ2Ｏ3を２３重量部、Ｌｉ2Ｏを１重量部、及びＮａ2Ｏを２重量部、Ｋ2Ｏを２重量部、ＴｉＯ2を１重量部、ＺｒＯ2を１重量部含有するものを用いた。また、有機バインダーとしてはアクリル樹脂、着色顔料としては黒顔料をそれぞれ用いた。
【００４９】
そして、上記ガラス基板の表面に対して、上記ペースト材料を３５０メッシュのスクリーンを用いてスクリーン印刷し、乾燥させ、温度８００℃にて焼成することにより、輪郭形状が楕円形状である多数の点状装飾層３２を形成した。
【００５０】
本例においては、上記基本格子４２の格子点間距離Ｌ２は、２．５ｍｍとした。
また、上記点状装飾層３２の面積は、一点当たり０．７〜０．８ｍｍ2とした。
また、上記点状装飾層３２の合計面積は、調理器用トッププレート全体の面積に対して１２％とした。
【００５１】
本例の調理器用トッププレートは、上記点状装飾層３２の輪郭形状を上記のように非円形状とし、その重心点３２１は上記格子点上に一致させるように配置するが、その大径部３２２の格子点に対する配置関係を不規則にして配置している。これにより、部分的には不規則な配置であるが、全体としては規則的な印象を与える効果を有する装飾とすることができる。そして、広範囲にわたって装飾層３２を設けることなく、ガラス基板中の欠点を隠す効果やごまかす効果を得ることができ、隠蔽効果を有することができる。また、点状装飾層３２の装飾面積を小さくすることにより、点状装飾層３２が設けられていない部分を多く確保することができるため、ガラス基板の質感を生かすことができ、かつ、上記点状装飾層３２がある程度の規則性を維持して配置されることによるデザイン性を得ることができ、高い意匠性を有することができる。このようにして、高い意匠性及び隠蔽効果を両立させることができる。
【００５２】
このように、本例によれば、欠点を有するガラス基板を用いた場合であっても、高い意匠性を確保し、かつ欠点を隠蔽できる隠蔽効果を有する調理器用トッププレートを提供できることが分かる。
【００５３】
（実施例３）
本例は、本発明の実施例にかかる調理器用トッププレートについて、図６及び図７を用いて説明する。
本例の調理器用トッププレートは、調理器の上部に配置するための調理器用トッププレートであって、結晶化ガラスよりなるガラス基板と、該ガラス基板における被加熱物を設置する調理面上に配設した多数の点状装飾層とを有してなる。
【００５４】
図６及び図７に示すように、上記点状装飾層３３は、平行な等間隔の複数の直線群を直交させて構成した仮想の基本格子４３の格子点４３１に対応してそれぞれ１個ずつ存在し、上記点状装飾層３３の重心点３３１が、対応する格子点４３１からの距離が格子点間距離Ｌ３の１／２以内の範囲内に存在すると共に、上記重心点３３１と格子点４３１との配置関係が隣り合うもの同士で異なっている。
【００５５】
また、上記点状装飾層３３の輪郭形状は重心３３１からの距離が他の部位よりも大きい大径部３３２を有する非円形状を呈しており、上記格子点４３１に対する上記大径部３３２の配置関係が隣り合うもの同士で異なっており、かつ、上記点状装飾層３３同士が重なり合わないように配列されている。
【００５６】
上記調理器用トッププレートを作製するに当たっては、まず、上記ガラス基板として、厚み４ｍｍ、幅６００ｍｍ、長さ４００ｍｍである結晶化ガラスよりなるガラス基板を用意した。
また、点状装飾層用のペースト材料として、ガラスフラックス８０重量部と、有機バインダー１００重量部と、着色顔料１７重量部とを混合し、ペースト材料を作製した。
ここで、上記ガラスフラックスとしては、ＳｉＯ2を６５重量部、Ａｌ2Ｏ3を５重量部、Ｂ2Ｏ3を２３重量部、Ｌｉ2Ｏを１重量部、及びＮａ2Ｏを２重量部、Ｋ2Ｏを２重量部、ＴｉＯ2を１重量部、ＺｒＯ2を１重量部含有するものを用いた。また、有機バインダーとしてはアクリル樹脂、着色顔料としては黒顔料をそれぞれ用いた。
【００５７】
そして、上記ガラス基板の表面に対して、上記ペースト材料を３５０メッシュのスクリーンを用いてスクリーン印刷し、乾燥させ、温度８００℃にて焼成することにより、輪郭形状が楕円形状である多数の点状装飾層３３を形成した。
【００５８】
本例においては、上記基本格子４３の格子点間距離Ｌ３は、２．５ｍｍとした。
また、上記点状装飾層３３の面積は、一点当たり０．７〜０．８ｍｍ2とした。
また、上記点状装飾層３３の合計面積は、調理器用トッププレート全体の面積に対して１２％とした。
【００５９】
本例の調理器用トッププレートにおける点状装飾層３３の配置パターンは、上記実施例１における点状装飾層３の配置パターンと、上記実施例２における点状装飾層３２の配置パターンを組み合わせたものである。つまり、点状装飾層３３の輪郭形状を上記のように非円形状とし、一定の範囲内で不規則に配列させ、さらに、その大径部３３２の上記格子点４３１に対する配置関係を不規則としている。
そのため、広範囲にわたって装飾層３３を設けることなく、ガラス基板中の欠点を隠す効果やごまかす効果を得ることができ、隠蔽効果を有することができる。また、点状装飾層３３の装飾面積を小さくすることにより、点状装飾層３３が設けられていない部分を多く確保することができるため、ガラス基板の質感を生かすことができ、かつ、上記点状装飾層３３がある程度の規則性を維持して配置されることによるデザイン性を得ることができ、高い意匠性を有することができる。
【００６０】
このように、本例によれば、欠点を有するガラス基板を用いた場合であっても、高い意匠性を確保し、かつ欠点を隠蔽できる隠蔽効果を有する調理器用トッププレートを提供できることが分かる。
【図面の簡単な説明】
【００６１】
【図１】実施例１における、調理器用トッププレートを示す断面図。
【図２】実施例１における、点状装飾層の配置パターンを示す拡大説明図。
【図３】実施例１における、点状装飾層の配置パターンを示す説明図。
【図４】実施例２における、点状装飾層の配置パターンを示す拡大説明図。
【図５】実施例２における、点状装飾層の配置パターンを示す説明図。
【図６】実施例３における、点状装飾層の配置パターンを示す拡大説明図。
【図７】実施例３における、点状装飾層の配置パターンを示す説明図。
【図８】従来のランダムドット柄を示す説明図。
【符号の説明】
【００６２】
３  点状装飾層
３０１  重心
４  基本格子
４０１  格子点
【図１】
2010071515.tif 000003
【図２】
2010071515.tif 000004
【図４】
2010071515.tif 000005
【図６】
2010071515.tif 000006
【図３】
2010071515.tif 000007
【図５】
2010071515.tif 000008
【図７】
2010071515.tif 000009
【図８】
2010071515.tif 000010